(57)【要約】【課題】ディスプレイの色を較正する較正システム及び方法を提供する。【解決手段】較正システムが、第一色空間と第二色空間との間の色転換を行うための転換モデルを作成する。三つの第一目標曲線が定義され、また、転換モデルにより転換が行われ、三つの参照表が作成される。ディスプレイが前記三つの参照表に基づいて較正を行う。これにより、前記ディスプレイの色温度は、各グレースケールに対して、ほぼ一定値になる。【選択図】図２
2010256899.tif 000002
【特許請求の範囲】
【請求項１】
ディスプレイを較正する方法であって、
前記ディスプレイは三つの原色映像データ集に基づいて三つの原色パターンを表示するときに、測定ユニットにより前記ディスプレイを測定し、三つの第一測定データ集を生成するステップと、
前記ディスプレイは黒色映像データ集に基づいて黒色パターンを表示するときに、前記測定ユニットにより前記ディスプレイを測定し、第二測定データ集を生成するステップと、
処理ユニットにより、前記三つの第一測定データ集、前記第二測定データ集、前記三つの原色映像データ集及び前記黒色映像データに基づいて、転換モデルを作成するステップと、
前記ディスプレイは複数の灰色映像データ集に基づいて複数のグレースケールパターンを表示するときに、前記測定ユニットにより前記ディスプレイを測定し、複数の第三測定データ集を生成するステップと、
前記処理ユニットにより、前記第二測定データ集と前記第三測定データ集に基づいて三つの第一原生表示曲線を生成するステップと、
前記転換モデルにより、前記三つの第一原生表示曲線を三つの第二原生表示曲線に転換するステップと、
前記処理ユニットにより、三つの最終目標曲線を定義するステップと、
前記処理ユニットにより、前記三つの最終目標曲線及び前記三つの第二原生表示曲線に基づいて三つの参照表を作成するステップと、
前記処理ユニットに入力映像データ集を提供するステップと、
前記三つの参照表に基づいて、前記入力映像データ集を較正映像データ集に転換するステップと、
前記較正映像データ集に基づいて、較正映像を前記ディスプレイに表示するステップと、
を含む、方法。
【請求項２】
前記三つの原色映像データ集は、それぞれ、赤色映像データ集、緑色映像データ集及び青色映像データ集であり、且つ、前記三つの原色パターンは、それぞれ、赤色パターン、緑色パターン及び青色パターンであり、前記ディスプレイは、前記赤色映像データ集に基づいて前記赤色パターンを表示し、前記ディスプレイは、前記緑色映像データ集に基づいて前記緑色パターンを表示し、且つ、前記ディスプレイは、前記青色映像データ集に基づいて前記青色パターンを表示する、
請求項１に記載の方法。
【請求項３】
前記複数の灰色映像データ集の各々は、第一色サブセット集、第二色サブセット集及び第三色サブセット集を有し、且つ、前記第一色サブセット集、前記第二色サブセット集及び前記第三色サブセット集の三つの画素値は、等しい、
請求項１に記載の方法。
【請求項４】
前記処理ユニットにより、前記三つの最終目標曲線を定義するステップは、
前記処理ユニットにより、三つの第二目標曲線を標準化し、前記三つの最終目標曲線を得るステップと、
前記転換モデルにより、三つの第一目標曲線を前記三つの第二目標曲線に転換するステップと、
を含む、
請求項１に記載の方法。
【請求項５】
前記処理ユニットは、前記三つの第二目標曲線の標準レベルと、三つの最大レベルのうち最大値との間の比に基づいて、前記三つの第二目標曲線をズーミングし、前記三つの第二目標曲線を標準化する、
請求項４に記載の方法。
【請求項６】
前記処理ユニットは、前記三つの第一目標曲線のうち二つの第一目標曲線を定義するときは、前記処理ユニットは、前記三つの第一目標曲線のうち他の第一目標曲線及びＣＩＥ  ｘｙＹ色空間の三つの色値ｘ、ｙ、ｚに基づいて定義する、
請求項４に記載の方法。
【請求項７】
前記処理ユニットは、前記三つの第一原生表示曲線のうち一つの第一原生曲線の最大レベルに基づいてガンマ曲線をズーミングし、前記他の第一目標曲線線を定義する、
請求項６に記載の方法。
【請求項８】
前記他の第一目標曲線は、ＣＩＥ  １９３１  ＸＹＺ色空間の刺激値Ｙの曲線である、
請求項７に記載の方法。
【請求項９】
前記方法は、さらに、
前記転換モデル及び前記三つの最終目標曲線の三つの最大レベルに基づいて補償比を算出するステップと、
前記補償比に基づいて前記ディスプレイの光源のパワーを上げるステップと、
を含む、
請求項４に記載の方法。
【請求項１０】
ディスプレイを較正する較正システムであって、
前記ディスプレイは複数の映像データ集に基づいて複数のパターンを表示するときに、前記ディスプレイを測定し、複数の測定データ集を生成する測定ユニットと、
前記測定ユニットにカップリングされ、転換モデル及び三つの参照表を作成する処理ユニットと、
を含み、
前記処理ユニットは、三つの第一測定データ集、一つの第二測定データ集、三つの原色映像データ集及び一つの黒色映像データに基づいて、前記転換モデルを作成し、そのうち、前記ディスプレイは前記三つの原色映像データ集に基づいて三つの原色パターンを表示するときに、前記測定ユニットは前記ディスプレイを測定し、前記三つの第一測定データ集を生成し、且つ、前記ディスプレイは前記黒色映像データ集に基づいて黒色パターンを表示するときに、前記測定ユニットは前記ディスプレイを測定し、前記第二測定データ集を生成し、
前記処理ユニットは、前記転換モデルにより、三つの第一原生表示曲線を三つの第二原生表示曲線に転換し、前記処理ユニットは、前記第二測定データ集及び複数の第三測定データ集に基づいて前記三つの第一原生表示曲線を作成し、且つ、前記ディスプレイは複数の灰色映像データ集に基づいて複数のグレースケールパターンを表示するときに、前記測定ユニットは前記ディスプレイを測定し、前記複数の第三測定データ集を生成し、
前記処理ユニットは、三つの最終目標曲線を定義し、且つ、前記処理ユニットは、前記三つの最終目標曲線及び前記三つの第二原生表示曲線に基づいて前記三つの参照表を作成し、及び、
前記処理ユニットは、前記三つの参照表により、入力映像データ集を較正映像データ集に転換し、且つ、前記処理ユニットは、前記較正映像データ集を前記ディスプレイに出力し、前記ディスプレイに、前記較正映像データ集に基づいて較正映像を表示させる、
較正システム。
【請求項１１】
前記処理ユニットは、信号生成器を有し、前記信号生成器は、前記ディスプレイにカップリングされ、映像データ集を前記ディスプレイに出力する、
請求項１０に記載の較正システム。
【請求項１２】
前記三つの原色映像データ集は、それぞれ、赤色映像データ集、緑色映像データ集及び青色映像データ集であり、且つ、前記三つの原色パターンは、それぞれ、赤色パターン、緑色パターン及び青色パターンであり、前記ディスプレイは、前記赤色映像データ集に基づいて前記赤色パターンを表示し、前記ディスプレイは、前記緑色映像データ集に基づいて前記緑色パターンを表示し、且つ、前記ディスプレイは、前記青色映像データ集に基づいて前記青色パターンを表示する、
請求項１０に記載の較正システム。
【請求項１３】
前記複数の灰色映像データ集の各々は、第一色サブセット集、第二色サブセット集及び第三色サブセット集を有し、且つ、前記第一色サブセット集、前記第二色サブセット集及び前記第三色サブセット集の三つの画素値は、等しい、
請求項１０に記載の較正システム。
【請求項１４】
前記処理ユニットは、三つの第二目標曲線を標準化し、前記三つの最終目標曲線を求め、前記処理ユニットは、前記転換モデルにより、三つの第一目標曲線を前記三つの第二目標曲線に転換する、
請求項１０に記載の較正システム。
【請求項１５】
前記処理ユニットは、前記三つの第二目標曲線の標準レベルと、三つの最大レベルのうち最大値との間の比に基づいて、前記三つの第二目標曲線をズーミングし、前記三つの第二目標曲線を標準化する、
請求項１４に記載の較正システム。
【請求項１６】
前記処理ユニットは前記三つの第一目標曲線のうち二つの第一目標曲線を定義するときは、前記処理ユニットは前記三つの第一目標曲線のうち他の第一目標曲線及びＣＩＥ  ｘｙＹ色空間の三つの色値ｘ、ｙ、ｚに基づいて定義する、
請求項１４に記載の較正システム。
【請求項１７】
前記処理ユニットは、前記三つの第一原生表示曲線のうち一つの第一原生曲線の最大レベルに基づいてガンマ曲線をズーミングし、前記他の第一目標曲線を定義する、
請求項１６に記載の較正システム。
【請求項１８】
前記他の第一目標曲線は、ＣＩＥ  １９３１  ＸＹＺ色空間の刺激値Ｙの曲線である、
請求項１７に記載の較正システム。
【請求項１９】
前記処理ユニットは、前記転換モデル及び前記三つの最終目標曲線の三つの最大レベルに基づいて補償比を算出し、且つ、前記処理ユニットは、前記補償比に基づいて前記ディスプレイの光源のパワーを上げる、
請求項１４に記載の較正システム。
【発明の詳細な説明】
【技術分野】
【０００１】
本発明は、ディスプレイの較正システムと方法に関し、特に、ディスプレイの色を較正する較正システムと方法に関する。
【背景技術】
【０００２】
近年、ディスプレイ技術が益々進んでおり、平面ディスプレイが大部分の伝統的な陰極線管（ＣＲＴ）ディスプレイに取って代わる。このような平面ディスプレイのうち、薄膜トランジスタ液晶ディスプレイ（ＴＦＴ−ＬＣＤ）が最も良く見られているものである。薄膜トランジスタ液晶ディスプレイの他は、プラズマディスプレイと有機発光ダイオード（ＯＬＥＤ）ディスプレイも益々普及している。平面ディスプレイの表示部分は、画素アレーを含み、画素アレーは、通常、マトリックスアレーであり、且つ、駆動器により駆動される。駆動器は、配列された映像データに基づいて、対応する画素を駆動する。よって、駆動器の制御の下で、画素は、特定の時間に特定の色を表示することができる。しかし、肉眼に理想の色が見えるために、画素により表示される色を依然として較正する必要がある（例えば、ガンマ曲線による較正）。
【０００３】
図１を参照する。図１は、伝統的な平面ディスプレイにおけるグレースケールと、ＣＩＥｘｙＹ色空間における二つの色値ｘ、ｙとの関係図である。縦軸は、二つの色値ｘ、ｙを表し、横軸は、グレースケールを表す。また、曲線２６０と曲線２６２は、それぞれ、色値ｘとｙに対応し、且つ、色値ｘとｙは、平面ディスプレイがパターンを表示している時に測定されたものである。各パターンは、対応するグレースケールを有し、且つ、このグレースケールは、図１の横軸の目盛りである。各パターンは、黒色のパターン、灰色のパターン又は白色のパターンであってもよい。例えば、黒色のパターンの対応するグレースケールは０であり、白色のパターンの対応するグレースケールは２５５であり、灰色のパターンの対応するグレースケールは１〜２５４である。理想的な状況では、二つの被測定色値ｘ、ｙは固定値であり、さもなければ、グレースケールに対応する色温度（ｃｏｌｏｒ  ｔｅｍｐｅｒａｔｕｒｅ）は異なってしまう。言い換えると、被測定色値ｘ、ｙは非固定値であれば、各グレースケールの色温度も非固定であり、これにより、平面ディスプレイにより表示される色には一致性が欠ける。
【０００４】
特許文献１及びそれに対応する特許文献２には、記憶体の容量を節約するよう適当な色再生を行うことができる映像表示装置、映像処理方法及びコンピュータ読み取り可能なインターフェースが開示されている。この映像表示装置は、第一の色修正器を用いて、映像表示装置の特性値に基づく三次元の色修正表を参考することにより、映像表示装置の色の特性と参考色の特性とを比較し、また、入力された映像データに対して予期の色修正を施す。且つ、映像表示装置は、第二の色修正器を用いて、一次元の色修正表を参考することにより、施す環境に基づいてレイヤーを修正し、また、入力された映像データに対して予期の色修正を施す。
【０００５】
特許文献３及びそれに対応する特許文献４には、色較正の方法が開示されており、この色較正の方法は、色測定システムにより、表示器に表示される光源の複数組のグレースケール値及びグレースケール表現値をそれぞれ選択し、各色の光の選択データのそれぞれに対して数値計算を行い、各区間内のグレースケール値のデータと曲線適合（ｃｕｒｖｅ  ｆｉｔｔｉｎｇ）する適合曲線関数を求め、そして、この適合曲線関数を用いて区間内のグレースケール値の適合グレースケール表現値を獲得して対照表を作成し、また、正規化された映像のグレースケールデータのガンマ曲線を、予め設定された目標曲線に対応させるために、対応させる時には、先ず、二つの曲線を対数化し、前述の対照表により、修正されたグレースケール信号を求め、そして、表示器がグレースケールの分布状態を呈するようこの修正されたグレースケール信号を出力する。
【先行技術文献】
【特許文献】
【０００６】
【特許文献１】台湾特許第Ｉ２３１７１５号公報
【特許文献２】米国特許第７０７９１５５号明細書
【特許文献３】台湾特許第Ｉ２８３８５２号公報
【特許文献４】米国特許第７３７５８５４号明細書
【発明の概要】
【発明が解決しようとする課題】
【０００７】
本発明の目的は、ディスプレイを較正する方法を提供し、特に、ディスプレイが各グレースケールを表示するときにおける色温度を実質的に一定値に維持する方法を提供することにある。
【０００８】
本発明のもう一つの目的は、ディスプレイの色を較正するシステムを提供し、特に、ディスプレイが各グレースケールを表示するときにおける色温度を実質的に一定値に維持するシステムを提供することにある。
【０００９】
本発明の他の目的と利点については、本発明に開示される技術的特徴から更なる理解を得ることができる。
【課題を解決するための手段】
【００１０】
前述の一又は部分又は全部の目的若しくは他の目的を達成するために、本発明の一実施例において、ディスプレイを較正する方法が提供される。この方法は、ディスプレイが三つの原色映像データ集に基づいて三つの原色パターンを表示するときに、測定ユニットを用いてディスプレイを測定し、三つの第一測定データ集を生成するステップと、ディスプレイが黒色映像データ集に基づいて黒色パターンを表示するときに、測定ユニットを用いてディスプレイを測定し、第二測定データ集を生成するステップと、処理ユニットを用いて、三つの第一測定データ集、第二測定データ集、三つの原色映像データ集及び黒色映像データに基づいて、転換モデルを作成するステップと、ディスプレイが複数の灰色映像データ集に基づいて複数のグレースケールパターンを表示するときに、測定ユニットを用いてディスプレイを測定し、複数の第三測定データ集を生成するステップと、処理ユニットを用いて、第二測定データ集と第三測定データ集に基づいて、三つの第一原生表示曲線を作成するステップと、転換モデルを用いて、三つの第一原生表示曲線を三つの第二原生表示曲線に転換するステップと、処理ユニットを用いて、三つの最終目標曲線を定義するステップと、処理ユニットを用いて、三つの最終目標曲線と三つの第二原生表示曲線に基づいて、三つの参照表（ｌｏｏｋｕｐ  ｔａｂｌｅ）を作成するステップと、入力映像データ集を処理ユニットに提供するステップと、三つの参照表に基づいて、入力映像データ集を較正映像データ集に転換するステップと、較正映像データ集に基づいて、較正映像をディスプレイに表示するステップと、を含む。
【００１１】
本発明の一実施例において、ディスプレイを較正する較正システムが提供される。この較正システムは、測定ユニット及び処理ユニットを含む。測定ユニットは、ディスプレイが複数の映像データ集に基づいて複数のパターンを表示するときに、ディスプレイを測定し、複数の測定データ集を生成する。処理ユニットは、測定ユニットにカップリングされ、転換モデル及び三つの参照表を作成する。そのうち、処理ユニットは、三つの第一測定データ集、一つの第二測定データ集、三つの原色映像データ集及び一つの黒色映像データ集に基づいて、転換モデルを作成し、そのうち、ディスプレイが三つの原色映像データ集に基づいて三つの原色パターンを表示するときに、測定ユニットは、ディスプレイを測定することにより、三つの第一測定データ集を生成し、且つ、ディスプレイが黒色映像データ集に基づいて黒色パターンを表示するときに、測定ユニットは、ディスプレイを測定することにより、第二測定データ集を生成し、そのうち、処理ユニットは、転換モデルを用いて、三つの第一原生表示曲線を三つの第二原生表示曲線に転換させ、処理ユニットは、第二測定データ集及び複数の第三測定データ集に基づいて、三つの第一原生表示曲線を作成し、且つ、ディスプレイが複数の灰色映像データ集に基づいて複数のグレースケールパターンを表示するときに、測定ユニットは、ディスプレイを測定することにより、複数の第三測定データ集を生成し、そのうち、処理ユニットは、三つの最終目標曲線を定義し、且つ、処理ユニットは、三つの最終目標曲線及び三つの第二原生表示曲線に基づいて、三つの参照表を作成し、処理ユニットは、三つの参照表に基づいて、入力映像データ集を較正映像データ集に転換し、且つ、処理ユニットは、較正映像データ集をディスプレイに出力し、ディスプレイに、較正映像データ集に基づいて較正映像を表示させる。
【００１２】
本発明の一実施例において、前述の処理ユニットは、信号生成器を有し、この信号生成器は、ディスプレイにカップリングされ、映像データ集をディスプレイに出力する。
【００１３】
本発明の一実施例において、前述の三つの原色映像データ集は、それぞれ、赤色映像データ集、緑色映像データ集及び青色映像データ集であり、且つ、三つの原色パターンは、それぞれ、赤色パターン、緑色パターン及び青色パターンであり、ディスプレイは、赤色映像データ集に基づいて赤色パターンを表示し、ディスプレイは、緑色映像データ集に基づいて緑色パターンを表示し、且つ、ディスプレイは、青色映像データ集に基づいて青色パターンを表示する。
【００１４】
本発明の一実施例において、前述の各灰色映像データ集は、第一色サブセット、第二色サブセット及び第三色サブセットを有し、且つ、第一色サブセット、第二色サブセット及び第三色サブセットの三つの画素値が等しい。
【００１５】
本発明の一実施例において、前述の処理ユニットは、三つの第二目標曲線を標準化することにより、三つの最終目標曲線を求め、処理ユニットは、転換モデルを用いて、三つの第一目標曲線を三つの第二目標曲線に転換する。
【００１６】
本発明の一実施例において、前述の処理ユニットは、三つの第二目標曲線の標準レベルと、三つの最大レベルのうち最大値との比に基づいて、三つの第二目標曲線をズーミングすることにより、三つの第二目標曲線を標準化する。
【００１７】
本発明の一実施例において、前述の処理ユニットは三つの第一目標曲線のうち二つの第一目標曲線を定義するときに、処理ユニットは三つの第一目標曲線のうち他の第一目標曲線及びＣＩＥｘｙＹ色空間の三つの色値ｘ、ｙ、ｚに基づいて定義する。
【００１８】
本発明の一実施例において、前述の処理ユニットは、三つの第一原生表示曲線のうち一つの第一原生表示曲線の最大レベルに基づいて、ガンマ曲線をズーミングすることにより、前述の他の第一目標曲線を定義する。
【００１９】
本発明の一実施例において、前述の他の第一目標曲線は、ＣＩＥ  １９３１  ＸＹＺ色空間の刺激値Ｙの曲線である。
【００２０】
本発明の一実施例において、前述の処理ユニットは、転換モデル及び三つの最終目標曲線の三つの最大レベルに基づいて補償比を算出し、且つ、処理ユニットは、この補償比に基づいて、ディスプレイの光源のパワーを増加する。
【発明の効果】
【００２１】
本発明の前述の実施例には、少なくとも以下の一つの利点を有する。転換モデルの作成は、第一色空間と第二色空間との間の色転換を行うためである。転換モデルを用いて、三つの第一目標曲線を定義及び転換することにより、三つの参照表を生成する。参照表に基づいてディスプレイを較正し、これにより、各グレースケールに対して、ディスプレイに表示される色温度は、ほぼ一定値に維持されることができる。
本発明の上述の特徴及び利点をより明らかにするために、以下は実施例を挙げ、図面を参照しながら詳細に説明する。
【図面の簡単な説明】
【００２２】
【図１】従来の平面ディスプレイにおけるグレースケールとＣＩＥｘｙＹ色空間の二つの色値ｘ、ｙとの間の関係図である。
【図２】本発明の実施例による較正システムとディスプレイの機能ブロック図である。
【図３】本発明の実施例によるディスプレイを較正する方法のフローチャートである。
【図４】如何に本発明の一実施例に基づいて、ディスプレイに表示されるテストパターン３４１〜３４４を測定することにより、測定データ集３５１〜３５４を生成するかを示す図である。
【図５】如何に本発明の一実施例に基づいて、ディスプレイに表示されるテストパターンＧＰ１〜ＧＰ２５５を測定することにより、測定データ集ＭＤ１〜ＭＤ２５５を生成するかを示す図である。
【図６Ａ】本発明の一実施例に基づいて、三つの第一原生表示曲線を説明する図である。
【図６Ｂ】本発明の一実施例に基づいて、三つの第一原生表示曲線を説明する図である。
【図６Ｃ】本発明の一実施例に基づいて、三つの第一原生表示曲線を説明する図である。
【図７Ａ】本発明の一実施例に基づいて、三つの第二原生表示曲線を説明する図である。
【図７Ｂ】本発明の一実施例に基づいて、三つの第二原生表示曲線を説明する図である。
【図７Ｃ】本発明の一実施例に基づいて、三つの第二原生表示曲線を説明する図である。
【図８Ａ】本発明の一実施例に基づいて、三つの最終目標曲線を説明する図である。
【図８Ｂ】本発明の一実施例に基づいて、三つの最終目標曲線を説明する図である。
【図８Ｃ】本発明の一実施例に基づいて、三つの最終目標曲線を説明する図である。
【図９】色温度が６５００Ｋでありガンマ値が２．２であるガンマ曲線を固定するときの本発明の例示的実施例を説明する図である。
【図１０】如何に本発明の他の実施例に基づいて、三つの最終目標曲線を作成するかを説明する図である。
【図１１】本発明の一実施例に基づいて、三つの参照表のうち一つを作成する方法を説明する図である。
【図１２】処理ユニットが如何に三つの参照表を用いてディスプレイに対して色較正を行うかを説明する図である。
【図１３】本発明の一実施例に基づいて、グレースケールとディスプレイの二つの色値ｘ、ｙとの間の関係を説明図である。
【図１４】本発明の一実施例に基づいて、グレースケールとディスプレイの二つの色値ｘ、ｙとの間の関係を説明する他の図である。
【発明を実施するための形態】
【００２３】
本発明に関わる前述及びその他の技術内容、特点及び効果は、添付された図面を参照しながら、好適な実施例を詳細に説明することによって明らかになる。本発明に言及した方向の用語、例えば、上、下、左、右、前、後などは、添付した図面の方向を参考するためのもののみである。よって、使用された方向の用語は、説明のために用いられ、本発明を限定するためのものでない。
【００２４】
図２を参照する。図２は、本発明の一実施例による較正システム２８０とディスプレイ２７０の機能ブロック図である。較正システム２８０は、ディスプレイ２７０に対して色較正を行うためのものである。ディスプレイ２７０は、例えば、薄膜液晶ディスプレイ（ＴＦＴ−ＬＣＤ）、有機発光ダイオード（ＯＬＥＤ）ディスプレイ、プラズマディスプレイ、或いは陰極線管（ＣＲＴ）ディスプレイ等である。較正システム２８０は、測定ユニット２８２と処理ユニット２８４を含む。この実施例において、測定ユニット２８２は、ディスプレイ２７０の色をセンシングできる映像センシング装置である。例えば、測定ユニット２８２は、ＫＯＮＩＣＡ  ＭＩＮＯＬＴＡ社製のモデル番号がＣＡ−２１０であるディスプレイカラー分析器であってもよい。しかし、本発明の測定ユニットは、これに限らない。また、処理ユニット２８４は、コンピュータ、携帯情報端末（ＰＤＡ）、或いはセットトップボックス（Ｓｅｔ−ｔｏｐ  ｂｏｘ）等であってもよい。処理ユニット２８４は、測定ユニット２８２とディスプレイ２７０にカップリングされ、処理ユニット２８４は、信号生成器２８６を含む。信号生成器２８６は、ディスプレイ２７０にカップリングされ、且つ、信号生成器２８６は、映像データ集ＳＧをディスプレイ２７０に出力し、ディスプレイ２７０に、受信された出力映像データ集ＳＧに基づいて相関のパターンを表示させる。この実施例において、信号生成器２８６は、例えば、表示カードである。しかし、本発明は、これに限らない。ディスプレイ２７０は入力データ集ＳＧに基づいてパターンを表示するときに、測定ユニット２８２はディスプレイ２７０を測定し、また、測定データ集ＳＭを生成することができる。この実施例において、映像データ集ＳＧは、ＲＧＢ色系の映像データであり、且つ、
（外１）
2010256899.tif 000003
と表示される。パラメータＲ、Ｇ及びＢは、それぞれ、映像データ集ＳＧの赤、青、緑色の画素値を表す。また、測定データ集ＳＭは、ＣＩＥ  １９３１  ＸＹＺ色空間のデータであり、且つ、
（外２）
2010256899.tif 000004
と表示される。そのうち、パラメータＸ、Ｙ及びＺは、それぞれ、測定データ集ＳＭの三つの刺激値（ｔｒｉｓｔｉｍｕｌｕｓ  ｖａｌｕｅｓ）Ｘ、Ｙ及びＺを表す。ＣＩＥ  １９３１  ＸＹＺ色空間は、国際照明委員会（Ｉｎｔｅｒｎａｔｉｏｎａｌ  Ｃｏｍｍｉｓｓｉｏｎ  ｏｎ  Ｉｌｌｕｍｉｎａｔｉｏｎ：ＣＩＥ）により、西暦１９３１年に作られたものである。
【００２５】
図３を参照する。図３は、本発明の実施例によるディスプレイを較正する方法のフローチャートである。ステップＳ３０２において、処理ユニット２８４は、第一色空間と第二色空間との間に色転換を行うための転換モデル２８８を作成する。本実施例において、第一色空間は、ＲＧＢ色空間であり、且つ、ＲＧＢ色空間は、赤、青、緑色の三原色により定義される。第二色空間は、ＣＩＥ  １９３１  ＸＹＺ色空間である。しかし、本発明は、これに限らない。例えば、第一色空間と第二色空間は、ＲＧＢ色空間、Ａｄｏｂｅ  ＲＧＢ色空間、ｓＲＧＢ色空間、ＣＩＥ  １９３１  ＸＹＺ色空間、ＩＥ  ｘｙＹ色空間、ＣＩＥ  １９６０色空間、ＣＩＥ  １９６４色空間、及びＣＩＥ  １９７６色空間から選出された二つの異なる色空間であっても良い。本発明の一実施例において、処理ユニット２８４により、ＲＧＢ色空間とＣＩＥ  １９３１  ＸＹＺ色空間との間において作成された例示的な色転換モデルの数式は、次のように表れる。
【００２６】
【数１】
2010256899.tif 000005
そのうち、パラメータＯＲ、ＯＧ及びＯＢは、それぞれ、映像データ集ＳＧの画素値が赤、青、緑色の三原色に対する偏移量を表す。パラメータＣ１１〜Ｃ１３、Ｃ２１〜Ｃ２３及びＣ３１〜Ｃ３３は、転換モデル中の転換マトリックス
（外３）
2010256899.tif 000006
の係数である。
【００２７】
図２と図４を参照する。転換モデル２８８を作成する前に、信号生成器２８６は、三つの原色映像データ集３３１〜３３３をディスプレイ２７０に伝送し、ディスプレイ２７０は、受信された三つの原色映像データ集３３１〜３３３に基づいて三つの原色パターン３４１〜３４３を表示する。三つの原色映像データ集３３１〜３３３は、それぞれ、赤色映像データ集３３１、緑色映像データ集３３２及び青色映像データ集３３３である。また、三つの原色パターン３４１〜３４３は、それぞれ、赤色映像パターン３４１、緑色パターン３４２及び青色パターン３４３を表す。そのうち、ディスプレイ２７０は、赤色映像データ集３３１に基づいて赤色パターン３４１を表示し、緑色映像データ集３３２に基づいて緑色パターン３４２を表示し、また、青色映像データ集３３３に基づいて青色パターン３４３を表示する。この実施例において、三つの原色映像データ集３３１〜３３３は、ＲＧＢ色系の映像データ集であり、また、それぞれ、
（外４）
2010256899.tif 000007
と表示される。三つの原色パターン３４１〜３４３は、ディスプレイ２７０に同期又は順次に表示されることができる。ディスプレイ２７０に三つの原色パターン３４１〜３４３を表示するときに、測定ユニット２８２を用いてディスプレイ２７０を測定することにより、三つの第一測定データ集３５１〜３５３を生成する。この実施例において、三つの第一測定データ集３５１〜３５３は、それぞれ、
（外５）
2010256899.tif 000008
と表示される。具体的に言えば、ディスプレイ２７０は赤色パターン３４１を表示するときに、測定ユニット２８２は測定データ集
（外６）
2010256899.tif 000009
を生成し、ディスプレイ２７０は緑色パターン３４２を表示するときに、測定ユニット２８２は測定データ集
（外７）
【００２８】
2010256899.tif 000010
を生成し、且つ、ディスプレイ２７０は青色パターン３４３を表示するときに、測定ユニット２８２は測定データ集
（外８）
2010256899.tif 000011
を生成する。数式（１）により、三つの原色映像データ集３３１〜３３３と三つの第一測定データ集３５１〜３５３との間の関係は、次のように表れる。
【００２９】
【数２】
2010256899.tif 000012
【００３０】
【数３】
2010256899.tif 000013
【００３１】
【数４】
2010256899.tif 000014
また、黒色映像データ集３３４がディスプレイ２７０に伝送され、ディスプレイ２７０に、黒色映像データ集３３４に従って黒色パターン３４４を表示させる。この実施例において、黒色映像データ集３４４は、
（外９）
2010256899.tif 000015
と表示される。ディスプレイ２７０は黒色パターン３４４を表示するときに、測定ユニット２８２はディスプレイ２７０を測定し、また、第二測定データ集３５４を生成する。この実施例において、第二測定データ集３５４は、
（外１０）
2010256899.tif 000016
と表示される。数式（１）により、黒色映像データ集３３４と第二測定データ集３５４との間の関係は、次のように表れる。
【００３２】
【数５】
2010256899.tif 000017
測定データ集のパラメータ
（外１１）
2010256899.tif 000018
は、既に知られたものであるので、処理ユニット２８４は、数式（２）〜（５）に基づいて、パラメータＣ１１〜Ｃ１３、Ｃ２１〜Ｃ２３、Ｃ３１〜Ｃ３３、ＯＲ、ＯＧ及びＯＢを算出できる。これにより、処理ユニット２８４は、三つの第一測定データ集３５１〜３５３、第二測定データ集３５４、三つの原色映像データ集３３１〜３３３及び黒色映像データ集３３４に基づいて、転換モデル２８８を作成する。一つの例示的な転換モデル２８８は、次のように表れる。
【００３３】
【数６】
2010256899.tif 000019
再び図３を参照する。転換モデル２８８が作成された後に、処理ユニット２８４は、ステップＳ３０４において、ディスプレイ２７０の三つの第一原生表示曲線を作成する。ディスプレイ２７０の三つの第一原生表示曲線を作成する前に、処理ユニット２８４の信号生成器２８６は、複数の灰色映像データ集をディスプレイ２７０に伝送する。図２と図５を参照する。信号生成器２８６は、複数の灰色映像データ集ＴＰ１〜ＴＰ２５５をディスプレイ２７０に伝送し、これにより、ディスプレイ２７０は、複数の灰色映像データ集ＴＰ１〜ＴＰ２５５に基づいて複数のグレースケールパターンＧＰ１〜ＧＰ２５５を表示する。この実施例において、灰色映像データ集ＴＰ１〜Ｔｐ２５５は、ＲＧＢ色系における映像データであり、且つ、それぞれ、
（外１２）
2010256899.tif 000020
・・・及び
（外１３）
2010256899.tif 000021
と表示される。具体的に言えば、マトリックス
（外１４）
2010256899.tif 000022
の中のパラメータＲ、Ｇ及びＢは、それぞれ、映像データ集ＳＧの中の第一色サブセット、第二色サブセット及び第三色サブセットの三つの画素値を表す。そのうち、マトリックス（外１５）
2010256899.tif 000023
の中の符号Ｒは、赤色の第一色サブセットの画素値を表し、マトリックス
（外１６）
【００３４】
2010256899.tif 000024
の中の符号Ｇは、緑色の第二色サブセットの画素値を表し、且つ、マトリックス
（外１７）
2010256899.tif 000025
の中の符号Ｂは、青色の第三色サブセットの画素値を表す。また、灰色映像データ集ＴＰ１〜ＴＰ２５５は、第一色サブセット、第二色サブセット及び第三色サブセットにある三つの画素値が等しい。例えば、一つ目の灰色映像データ集ＴＰ１の三つの画素値は全て１であり、二つ目の灰色映像データ集ＴＰ２の三つの画素値は全て２であり、三つ目の灰色映像データ集ＴＰ３の三つの画素値は全て３であり、これ以降は、類似する。また、ディスプレイ２７０は、一つ目の灰色映像データ集ＴＰ１に基づいてグレースケールパターンＧＰ１を表示し、二つ目の灰色映像データ集ＴＰ２に基づいてグレースケールパターンＧＰ２を表示し、且つ、三つ目の灰色映像データ集ＴＰ３に基づいてグレースケールパターンＧＰ３を表示し、これ以降は、類似する。灰色映像データ集ＴＰ１〜ＴＰ２５５は、ディスプレイ２７０に同期又は順次に表示されることができる。ディスプレイ２７０はグレースケールパターンＧＰ１〜ＧＰ２５５を表示するときに、測定ユニット２８２はディスプレイ２７０を測定し、複数の第三測定データ集ＭＤ１〜ＭＤ２５５を生成する。ディスプレイ２７０はグレースケールパターンＧＰ１を表示するときに、測定ユニット２８２はディスプレイ２７０を測定することにより、測定データ集ＭＤ１を生成し、ディスプレイ２７０はグレースケールパターンＧＰ２を表示するときに、測定ユニット２８２はディスプレイ２７０を測定することにより、測定データ集ＭＤ２を生成し、これ以降は、類似する。この実施例において、第三測定データ集ＭＤ１〜ＭＤ２５５は、色空間ＣＩＥ  １９３１  ＸＹＺにおけるデータであり、且つ、それぞれ、
（外１８）
2010256899.tif 000026
・・・及び
（外１９）
2010256899.tif 000027
と表示される。
【００３５】
ステップＳ３０４において、処理ユニット２８４は、第二測定データ集
（外２０）
2010256899.tif 000028
と第三測定データ集
（外２１）
2010256899.tif 000029
に基づいてディスプレイ２７０の三つの第一原生表示曲線を作成する。図６Ａ〜図６Ｃを参照する。図６Ａ〜図６Ｃは、本発明の実施例により、三つの第一原生表示曲線３６１〜３６３を説明する図である。三つの第一原生表示曲線３６１〜３６３の縦軸は、それぞれ、ＣＩＥ  １９３１  ＸＹＺ色空間の三つの刺激値Ｘ、Ｙ及びＺを表す。三つの第一原生表示曲線３６１〜３６３の横軸は、灰色映像データ集ＴＰ１〜ＴＰ２５５のうち一つのグレースケール、又は、黒色映像データ集３３４のグレースケールに対応する指数を表す。例えば、測定ユニット２８２は、第ｎ個のグレースケールパターンＧＰｎを測定した後に、測定ユニット２８２は、第三測定データ集ＭＤ１〜ＭＤ２５５のうち対応する一つの第三測定データ集（即ち、第ｎ個の第三測定データ集ＭＤｎ）を生成し、そのうち、測定データ集ＭＤｎは、
（外２２）
2010256899.tif 000030
と表示されることができる。よって、指数ｎ及び測定データ集
（外２３）
2010256899.tif 000031
により、原生表示曲線３６１のノードＡ、原生表示曲線３６２のノードＢ及び原生表示曲線３６３のノードＣを定位することができる。また、測定データ集
（外２４）
2010256899.tif 000032
により、図６Ａ〜図６Ｃの原点を決定することができ、且つ、図６Ａ〜図６Ｃの原点は、それぞれ、（０，Ｘ０）、（０，Ｙ０）及び（０，Ｚ０）と表示される。
【００３６】
再び図３を参照する。ステップＳ３０６において、処理ユニット２８４は、転換モデル２８８を用いて、三つの第一原生表示曲線３６１〜３６３を三つの第二原生表示曲線に転換する。図７Ａ〜図７Ｃを参照する。図７Ａ〜図７Ｃは、本発明の実施例により、三つの第二原生表示曲線３７１〜３７３を説明する図である。三つの第二原生表示曲線３７１〜３７３の縦軸は、それぞれ、ＲＧＢ色空間視覚上での画素値Ｒ、Ｇ及びＢを表し、且つ、第二原生表示曲線３７１〜３７３の横軸は、ＲＧＢ色空間の原始画素値Ｒ、Ｇ及びＢを表す。例えば、原生表示曲線３７１のノードＤ、原生表示曲線３７２のノードＥ及び原生表示曲線３７３のノードＦの対応する原始画素値はｎであり、且つ、その同時に、ノードＤ、ノードＥ及びノードＦは、それぞれ、視覚上での画素値Ｒｎ、Ｇｎ及びＢｎにも対応する。転換モデル２８８により、測定データ集
（外２５）
2010256899.tif 000033
は、
（外２６）
2010256899.tif 000034
に転換されることができる。即ち、
（外２７）
2010256899.tif 000035
である。よって、処理ユニット２８４は、転換モデル２８８により、三つの第一原生表示曲線３６１〜３６３を三つの第二原生表示曲線３７１〜３７３に転換することができる。
【００３７】
再び図３を参照する。ステップＳ３０８において、処理ユニット２８４により、三つの最終目標曲線３８１〜３８３を定義する。ディスプレイ２７０の色較正が終わった後に、前述の三つの最終目標曲線３８１〜３８３は、較正後のディスプレイ２７０の大抵の特性を表示するために用いられることができる。図８Ａ〜図８Ｃの横軸は、それぞれ、赤、緑、青色の入力画素値を表し、且つ、図８Ａ〜図８Ｃの縦軸は、それぞれ、ディスプレイ２７０の視覚上で表示される赤、緑、青色の画素値を表す。
【００３８】
本発明の実施例において、処理ユニット２８４は、三つの最終目標曲線３８１〜３８３を定義するときに、先ず、処理ユニット２８４は、三つの第一目標曲線を三つの第二目標曲線に転換し、それから、処理ユニット２８４は、三つの第二目標曲線を標準化し、これにより、三つの最終目標曲線を得る。図９を参照する。処理ユニット２８４は、三つの第一目標曲線３９１〜３９３を三つの第二目標曲線４０１〜４０３に転換し、その後、処理ユニット２８４は、三つの第二目標曲線４０１〜４０３を標準化し、これにより、三つの最終目標曲線３８１〜３８３を得る。三つの第一目標曲線３９１〜３９３は、色較正後のディスプレイ２７０が呈する三つの刺激値Ｘ、Ｙ及びＺを表す。本実施例において、第一目標曲線３９２は、ガンマ曲線（ｇａｍｍａ  ｃｕｒｖｅ）から転換されてきたものである。例えば、ガンマ値が２．２であるガンマ曲線は、次のように定義される。
【００３９】
【数７】
2010256899.tif 000036
そのうち、ＶＩＮは、ガンマ曲線の入力であり、ＶＯＵＴは、ガンマ曲線の出力であり、０≦ＶＩＮ≦１、且つ、０≦ＶＯＵＴ≦１である。
【００４０】
この実施例において、処理ユニット２８４は、第一特性表示曲線３６２の最大値に基づいて、ガンマ曲線をズーミングすることにより、第一目標曲線３９２を定義する。そのうち、第一特性曲線３６２は、第一目標曲線３９２に対応し、且つ、第一目標曲線３９２は、次のように現れる。
【００４１】
【数８】
2010256899.tif 000037

この実施例において、Ｙｔ２５５は、特性表示曲線３６２の刺激値Ｙの最大値（即ち、Ｙｔ２５５＝Ｙ２５５）に等しく、ｎは指数の値を表し、Ｙｔｎは、指数がｎに等しいときに、第一目標曲線３９２の対応する刺激値Ｙを表す。
【００４２】
処理ユニット２８４は、第一目標曲線３９２を定義した後に、処理ユニット２８４は、第一目標曲線３９２と三つのＣＩＥ  ｘｙＹ色空間の色値ｘ、ｙ、ｚに基づいて、その他の二つの第一目標曲線３９１と３９３を定義する。ＣＩＥ  ｘｙＹ色空間の規格により、三つの色値ｘ、ｙ、ｚは、それぞれ、次のように表れる。
【００４３】
【数９】
2010256899.tif 000038
【００４４】
【数１０】
2010256899.tif 000039
【００４５】
【数１１】
2010256899.tif 000040
よって、刺激値ＸとＺは、次のように表れる。
【００４６】
【数１２】
2010256899.tif 000041
【００４７】
【数１３】
2010256899.tif 000042
この実施例において、ディスプレイ２７０に一致の色温度を持たせるために、色値ｘ、ｙ、ｚは、固定値を要する。色値ｘ、ｙ、ｚは固定値であるので、その他の二つの第一目標曲線３９１と３９３は、それぞれ、次のように表れる。
【００４８】
【数１４】
2010256899.tif 000043
【００４９】
【数１５】
2010256899.tif 000044
処理ユニット２８４は三つの第一目標曲線３９１〜３９３を定義した後に、処理ユニット２８４は転換モデル２８８を再び用いて三つの第一目標曲線３９１〜３９３を三つの第二目標曲線４０１〜４０３に転換する。よって、図９の三つの第二目標曲線４０１〜４０３の画素値Ｒｔｎ、Ｇｔｎ及びＢｔｎは、次の式により算出できる。
【００５０】
【数１６】
2010256899.tif 000045
なお、三つの第二目標曲線４０１〜４０３の最大値は、２５５（即ち、ＲＧＢ色系の標準レベル）より大きくなる可能性がある。この場合は、前述の標準レベルに合わせるよう三つの第二目標曲線４０１〜４０３がズーミングされることができる。処理ユニット２８４により三つの第二目標曲線４０１〜４０３をズーミングする前に、処理ユニット２８４においてズーミング比が定義される。本実施例において、前述のズーミング比は、前述の標準レベルが三つの第二目標曲線４０１〜４０３の三つの最大レベルのうち最大値に対する比と等しい。例えば、この実施例において、三つの第二目標曲線４０１〜４０３の最大レベルは、それぞれ、２６５、２５５及び２４０であれば、三つの第二目標曲線４０１〜４０３の最大レベルのうち最大値は、２６５である。標準レベルは２５５（即ち、２８−１）であるので、ズーミング比は、２５５／２６５である。具体的に言えば、三つの最終目標曲線３８１〜３８３は、それぞれ、次のように表われる。
【００５１】
【数１７】
2010256899.tif 000046
【００５２】
【数１８】
2010256899.tif 000047
【００５３】
【数１９】
2010256899.tif 000048
そのうち、パラメータＲｓは、前述のズーミング比を表す。
【００５４】
図９は、色温度が６５００Ｋに固定され、且つ、ガンマ曲線のガンマ値が２．２に固定される時における本発明の例示的な一実施例を示す図である。本発明の他の実施例において、処理ユニット２８４は、ディスプレイ２７０の色較正への様々な需要に基づいて、様々の三つの最終目標曲線を作成できる。例えば、ディスプレイ２７０は、特殊なディスプレイであって良く、ディスプレイ２７０は、医学デジタル映像と通信（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ，  ＤＩＣＯＭ）の規格を満たしても良い。図１０を参照する。図１０は、ＤＩＣＯＭディスプレイの三つの第一目標曲線４１１〜４１３を説明する図である。処理ユニット２８４は、転換モデル２８８を用いて三つの第一目標曲線４１１〜４１３を三つの第二目標曲線４２１〜４２３に転換し、それから、前述のズーミング比に基づいて、三つの第二目標曲線４２１〜４２３に対してズーミングを行う。この実施例において、ズーミング比は、２５５／３３６である。図１０において、三つの第二目標曲線４２１〜４２３の画素値Ｒｔ′ｎ、Ｇｔ′ｎ及びＢ′ｔｎは、次の式により算出できる。
【００５５】
【数２０】
2010256899.tif 000049
また、三つの最終目標曲線４３１〜４３３は、それぞれ、次のように表れることができる。
【００５６】
【数２１】
2010256899.tif 000050
【００５７】
【数２２】
2010256899.tif 000051
【００５８】
【数２３】
2010256899.tif 000052
そのうち、パラメータＲ′ｓは、本実施例のズーミング比を表す。
【００５９】
再び図２と図３を参照する。三つの最終目標曲線を作成した後に、処理ユニット２８４は、三つの最終目標曲線及び三つの第二原生表示曲線に基づいて、三つの参照表２９１〜２９３を作成する。例えば、図７Ａ〜図７Ｃ及び図９の実施例において、処理ユニット２８４は、三つの最終目標曲線３８１〜３８３及び三つの第二原生表示曲線３７１〜３７３に基づいて、三つの参照表２９１〜２９３を作成する。具体的に言えば、処理ユニット２８４は、最終目標曲線３８１と第二原生表示曲線３７１に基づいて、第一参照表２９１を作成し、処理ユニット２８４は、最終目標曲線３８２と第二原生表示曲線３７２に基づいて、第二参照表２９２を作成し、且つ、処理ユニット２８４は、最終目標曲線３８３と第二原生表示曲線３７３に基づいて、第三参照表２９３を作成する。前述の三つ参照表２９１〜２９３は、それぞれ、ディスプレイ２７０の赤、緑、青色を較正するときに用いられる。図１１は、本発明の実施例により、三つの参照表２９１〜２９３のうち一つを作成することを説明する図である。図１１において、三つの最終目標曲線３８１〜３８３のうち一つは、図の右側に描かれ、三つの第二原生表示曲線３７１〜３７３のうち一つは、図の中間に描かれ、且つ、処理ユニット２８４により作成された対応参照表は、図の左側に描かれる。図１１は、入力画素値と最終目標曲線の表示画素値との間の対応関係を説明する。図１１の参照表、第二原生表示曲線及び最終目標曲線は、全て、同じ色（例えば、赤、緑、青色）に対応する。図１１に示す最終目標曲線によれば、入力画素値は１３０であるときには、その対応する表示画素値は１０２である。また、図１１に示すように、表示画素値１０２に対応する第二原生表示曲線の較正画素値は１２８である。これにより、処理ユニット２８４は、参照表に、入力画素値１３０と較正画素値１２８との間の関係を作成できる。同様に、処理ユニット２８４は、参照表に、より多くの入力画素値と較正画素値との間の関係を作成できる。入力画素値と較正画素値との間の関係は三つの参照表において作成された後に、処理ユニット２８４は、三つの参照表に基づいて、受信された入力映像データ集を較正映像データ集に転換する。
【００６０】
図１２を参照する。処理ユニット２８４は、入力映像データ集Ｓｉｎを受信した後に、処理ユニット２８４は、三つの参照表２９１〜２９３に基づいて、入力映像データ集Ｓｉｎを較正映像データ集Ｓｃｂに転換する。較正映像データ集Ｓｃｂは、ディスプレイ２７０へ伝送されることができ、これによって、ディスプレイ２７０に、較正映像データ集Ｓｃｂに基づいて較正映像４４０を表示させる。
【００６１】
図１３を参照する。図１３は、本発明の実施例により、グレースケールとディスプレイ２７０の二つの色値ｘ、ｙとの間の関係を説明する図である。そのうち、縦軸は、それぞれ、色値ｘ、ｙを表し、横軸は、グレースケールを表す。また、曲線４５０は、色値ｙに対応し、且つ、曲線４５２は、色値ｘに対応する。図に示すように、この二つの色値ｘ、ｙは、ほぼ一致値に維持される。よって、ディスプレイ２７０の各グレースケールの色温度は、実質的に固定されるものである。
【００６２】
図１４を参照する。図１４は、本発明の一実施例により、グレースケールとディスプレイ２７０の二つの色値ｘ、ｙとの間の関係を説明するもう一つの例示的な図である。縦軸は、二つの色値ｘ、ｙを表し、且つ、横軸は、グレースケールを表す。また、曲線４６０は、色値ｙに対応し、曲線４６２は、色値ｘに対応する。この二つの色値ｘ、ｙは、ほぼ一定値に維持され、これによって、ディスプレイ２７０の各グレースケールの色温度は、実質的に固定されるものである。
【００６３】
再び図２を参照する。本発明の実施例において、ディスプレイ２７０は、光源２７２を有する液晶ディスプレイ（ＬＣＤ）である。光源２７２は、バックライトモジュールである。ディスプレイ２７０がオンになるときに、このバックライトモジュールは、バックライトをディスプレイ２７０に提供する。数式（１７）〜（１９）又は（２１）〜（２３）に基づいて処理ユニット２８４によりズーミングされた（即ち、標準化された）三つの第二目標曲線４０１〜４０３又は４２１〜４２３は、その画素値（Ｒｆｎ、Ｇｆｎ、Ｂｆｎ）又は（Ｒｆ′ｎ、Ｇｆ′ｎ、Ｂｆ′ｎ）が、画素値（Ｒｔｎ、Ｇｔｎ、Ｂｔｎ）又は（Ｒｔ′ｎ、Ｇｔ′ｎ、Ｂｔ′ｎ）より小さい。よって、ディスプレイ２７０に表示される映像は、ユーザが見たい映像よりも黒くなる可能性がある。表示される映像と、ユーザが見たい映像との輝度の差を補償するために、処理ユニット２８４は、バックライトモジュール２７２のパワーを上げるために、制御信号Ｓｃをバックライトモジュール２７２に伝送する。これにより、ディスプレイ２７０に表示される映像は、明るくなり、ユーザのニーズを満たすことができる。
【００６４】
本発明の実施例において、処理ユニット２８４は、三つの最終目標曲線の三つの最大レベルに基づいて、制御信号Ｓｃを生成する。図９を参照する。三つの最終目標曲線３８１〜３８３の三つの最大レベルは、例えば、２５５、２４５及び２３１であれば、数式（１）により、三つの最終目標曲線３８１〜３８３の三つの最大レベルと、三つの対応する刺激値（Ｘｍ、Ｙｍ、Ｚｍ）との間の関係は、次のように表われることができる。
【００６５】
【数２４】
2010256899.tif 000053
この実施例において、三つの最終目標曲線３８１〜３８３の三つの最大レベルは、例えば、２５５、２４５及び２３１であり、三つの対応する刺激値（Ｘｍ、Ｙｍ、Ｚｍ）は、例えば、１４６、１６１及び８５である。これにより、処理ユニット２８４は、
（外２８）
2010256899.tif 000054
（即ち、
（外２９）
2010256899.tif 000055
である補償比を得ることができる。具体的に言えば、補償比は、刺激値Ｙｍに関係する。処理ユニット２８４は、補償比
（外３０）
2010256899.tif 000056
に基づいて制御信号Ｓｃを生成し、これにより、ディスプレイ２７０に表示される映像の輝度は、バックライトモジュール２７２のパワーの増加により高くなる。バックライトモジュール２７２のパワーが増加した後に、ディスプレイ２７０の刺激値ＹはＹ２５５と等しく、且つ、ディスプレイ２７０に表示される映像に充分な輝度を持たせ、また、ユーザに見たい映像が見えるようになる。
【００６６】
同様に、図１０において、三つの最終目標曲線４３１〜４３３の三つの最大レベルに対応する三つの刺激値（Ｘ′ｍ、Ｙ′ｍ、Ｚ′ｍ）も、数式（１）により、求められる。即ち：
【００６７】
【数２５】
2010256899.tif 000057
この場合、刺激値Ｙ′ｍは、１３５．９７と等しいので、補償比は、
（外３１）
2010256899.tif 000058
（即ち、
（外３２）
2010256899.tif 000059
と等しい。よって、ディスプレイ２７０に表示される映像と、ユーザが見たい映像との間の輝度の差は、補償比
（外３３）
2010256899.tif 000060
により補償されることができる。
【００６８】
以上のことを総合すれば、本発明の前述の実施例は、少なくとも、以下の一つの利点を有する。本発明の前述の実施例において、転換モデルを作成し、この転換モデルにより第一色空間と第二色空間との間の色転換が行われる。また、三つの第一原生表示曲線は、測定データ集に基づいて作成される。そのうち、前述の測定データ集は、ディスプレイが三つの原色パターン、黒色パターン及び複数のグレースケールパターンを表示するときに、測定ユニットによりディスプレイを測定することにより得られる。その後、前述の転換モデルにより、三つの第一原生表示曲線は三つの第二原生表示曲線に転換され、さらに、前述の三つの第二原生表示曲線により、ディスプレイが前述の第二色空間における色特性を作成する。その後、三つの最終目標曲線及び三つの第二原生表示曲線により、三つのディスプレイの色較正用参照表を作成し、また、前述の三つの参照表によりディスプレイを較正し、これによって、ディスプレイの各グレースケールの色温度にほぼ一定値を持たせることができる。また、ディスプレイの光源（例えば、バックライトモジュール）のパワーは補償比に基づいて調整されることができ、これによって、ディスプレイに表示される映像と、ユーザが見たい映像との間の輝度の差を補償することができる。
【００６９】
本発明は、前述した好適な実施例に基づいて以上のように開示されたが、前述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。
【符号の説明】
【００７０】
２６０  ＣＩＥｘｙＹ色空間の色値ｘ
２６２  ＣＩＥｘｙＹ色空間の色値ｙ
２７０  ディスプレイ
２７２  光源
２８０  較正システム
２８２  測定ユニット
２８４  処理ユニット
２８６  信号生成器
２８８  転換モデル
２９１  第一参照表
２９２  第二参照表
２９３  第三参照表
３３１  赤色映像データ集
３３２  緑色映像データ集
３３３  青色映像データ集
３３４  黒色映像データ集
３４１  赤色パターン
３４２  緑色パターン
３４３  青色パターン
３４４  黒色パターン
３５１  第一測定データ集
３５２  第一測定データ集
３５３  第一測定データ集
３５４  第二測定データ集
３６１〜３６３  第一原生表示曲線
３７１〜３７３  第二原生表示曲線
３８１〜３８３、４３１〜４３３  最終目標曲線
３９１〜３９３、４１１〜４１３  第一目標曲線
４０１〜４０３、４２１〜４２３  第二目標曲線
４４０  較正映像
４５０、４５２、４６０、４６２  曲線
Ｓｃ  制御信号
ＳＧ  出力映像データ集
ＳＭ  測定データ集
Ｓ３０２〜Ｓ３１２  フローチャートステップ
ＴＰ１〜ＴＰ２５５  灰色映像データ集
ＭＤ１〜ＭＤ２５５  第三測定データ集
ＧＰ１〜ＧＰ２５５  グレースケール
Ｘ０〜Ｘ２５５、Ｙ０〜Ｙ２５５、Ｚ０〜Ｚ２５５：ＣＩＥ  １９３１  ＸＹＺ色空間の刺激値
Ｒｎ、Ｇｎ、Ｂｎ：ＲＧＢ色空間の視覚上での画素値
Ｘｔ、Ｙｔ、Ｚｔ：刺激値
Ｒｔ、Ｇｔ、Ｂｔ：三原色画素値
Ｓｉｎ：入力映像データ集
Ｓｃｂ：較正映像データ集
【図１】
2010256899.tif 000061
【図２】
2010256899.tif 000062
【図３】
2010256899.tif 000063
【図４】
2010256899.tif 000064
【図５】
2010256899.tif 000065
【図６Ａ】
2010256899.tif 000066
【図６Ｂ】
2010256899.tif 000067
【図６Ｃ】
2010256899.tif 000068
【図７Ａ】
2010256899.tif 000069
【図７Ｂ】
2010256899.tif 000070
【図７Ｃ】
2010256899.tif 000071
【図８Ａ】
2010256899.tif 000072
【図８Ｂ】
2010256899.tif 000073
【図８Ｃ】
2010256899.tif 000074
【図９】
2010256899.tif 000075
【図１０】
2010256899.tif 000076
【図１１】
2010256899.tif 000077
【図１２】
2010256899.tif 000078
【図１３】
2010256899.tif 000079
【図１４】
2010256899.tif 000080